(57)【要約】【課題】粘稠性のペーストを収納するためのシリンジ型容器であって、そのペーストを収納する際に混入した空気が使用時にペーストに混入して吐出することが少ないシリンジ型容器を提供する。【解決手段】一端に先細りの吐出部がまた他端に外面に指掛け部が設けられた開口部を有し内部にペーストが収納される円筒状のシリンダーと、シリンダーの吐出部に略適合する形状のヘッド部2aとヘッド部2aに続いてＯリング装着溝2bとロッド部2cと押圧部2dとが順次設けられておりシリンダー内のペーストを吐出部1a側に押し出すためのプランジャー２と、プランジャー２のＯリング装着溝2bに装着されたＯリングとから成るシリンジ型容器において、プランジャー２のＯリング装着溝2bにヘッド部2a側からロッド部2c側に空気は通すがペーストは通さない流路をＯリング３との間に形成する溝又は凸条部2eを、好ましくはプランジャー２の軸方向と平行に複数本設ける。【選択図】図２
2010022422.tif 000002
【特許請求の範囲】
【請求項１】
一端に先細りの吐出部(1a)がまた他端に外面に指掛け部(1c)が設けられた開口部(1b)を有し内部にペーストが収納される円筒状のシリンダー(１)と、該シリンダー(１)の吐出部(1a)に略適合する形状のヘッド部(2a)と該ヘッド部(2a)に続いてＯリング装着溝(2b)とロッド部(2c)と押圧部(2d)とが順次設けられており該シリンダー(１)内のペーストを吐出部(1a)側に押し出すためのプランジャー(２)と、該プランジャー(２)のＯリング装着溝(2b)に装着されたＯリング(３)とから成るシリンジ型容器であって、該プランジャー(２)のＯリング装着溝(2b)にヘッド部(2a)側からロッド部(2c)側に空気は通すがペーストは通さない流路をＯリング(３)との間に形成する溝又は凸条部(2e)が設けられていることを特徴とするシリンジ型容器。
【請求項２】
溝(2e)がプランジャー(２)のＯリング装着溝(2b)をヘッド部(2a)側からロッド部(2c)側に浅く穿設して形成されている請求項１に記載のシリンジ型容器。
【請求項３】
凸条部(2e)がプランジャー(２)のＯリング装着溝(2b)にヘッド部(2a)側からロッド部(2c)側に僅かに突設して形成されている請求項１に記載のシリンジ型容器。
【請求項４】
凸条部(2e)がプランジャー(２)のＯリング装着溝(2b)にヘッド部(2a)側からロッド部(2c)側に隣接して僅かに突設して形成されている２本の凸条部(2e)である請求項１又は３に記載のシリンジ型容器。
【請求項５】
溝又は凸条部(2e)がプランジャー(２)の軸方向と平行に複数本設けられている請求項１から４までのいずれか１項に記載のシリンジ型容器。
【発明の詳細な説明】
【技術分野】
【０００１】
本発明は粘稠性のペーストを収納するためのシリンジ型容器に関し、更に詳しくは粘稠性のコンポジットレジンや接着剤のようなペースト状の歯科用材料を収納しておき、そのペーストを収納する際に混入した空気が使用時にペーストに混入して吐出することが少ないシリンジ型容器に関する。
【背景技術】
【０００２】
従来からシリンジ型容器は、コンポジットレジンや接着剤のような粘稠性のペースト状の歯科用材料を収納しておき、使用時に適量だけ押し出して使用するための容器として多用されている。
【０００３】
即ち、このシリンジ型容器は、一端に先細りの吐出部がまた他端に外面に指掛け部が設けられた開口部を有し内部にペーストが収納される円筒状のシリンダーと、このシリンダーの吐出部に略適合する形状のヘッド部とこのヘッド部に続いてＯリング装着溝とロッド部と押圧部とが順次設けられておりシリンダー内のペーストを吐出部側に押し出すためのプランジャーと、Ｏリング装着溝に装着されたＯリングとから成る構造のものであるが、このシリンダー内に粘稠性を有するペーストを収納させるには、プランジャーのヘッド部がシリンダーの先細りの吐出部まで押し込まれた状態でシリンダーの吐出部に注射器状の注入器の先端に取り付けた針状部を装入してシリンダー内にペーストを押圧注入することによって行うことが好ましいとされている。
【０００４】
しかしながら、このようにシリンダー内に粘稠性を有するペーストを押圧注入することによって収納させる方法では、押圧注入する初期においてはシリンダーの先細りの吐出部に略適合するプランジャーのヘッド部の先端の小さな面積に作用する押圧注入力でプランジャーをシリンダーの開口部側に移動せしめなければならないので、ペーストの押圧注入を容易に行うことができないため、プランジャーをそのヘッド部がシリンダーの先細りの吐出部に当接した状態ではなく、或る程度プランジャーをそのヘッド部がシリンダーの先細りの吐出部からシリンダーの開口部側に移動せしめた状態でペーストの押圧注入が開始されているので、ペーストの押圧注入を行う前にシリンダーの先細りの吐出部内に空気が存在している状態となっている。その結果、シリンダー内に空気が残留しない状態でペーストを押圧注入することは不可能であった。
【０００５】
このように或る程度の量の空気が存在する状態でシリンダーの吐出部からペーストが押圧注入されると、その空気はシリンダーの吐出部から押圧注入されるペーストによってプランジャーのヘッド部に続くＯリング装着溝のヘッド部側に移動しシリンダーの内面に当接しているＯリングによってその移動を阻止されて圧縮された状態となる。そこで、ペーストを所定量押圧注入し終って注射器状の注入器の先端に取り付けた針状部をシリンダーの吐出部から抜き取ると、圧縮された空気圧によってペーストがシリンダーの吐出部から溢れ出す現象が生じてシリンダー内に所定量のペーストを収納させることができないという欠点の他に、シリンダー内のペーストを吐出部から押し出して使用する際に、ペースト中に空気が気泡となって混入するため、例えばペーストが歯科用のコンポジットレジンの場合は硬化したコンポジットレジンの強度が低下してしまい、ペーストが歯科用の接着剤の場合はその接着強度の著しく低い部分が発生してしまうという好ましくない現象が発生するという欠点があった。
【０００６】
そこでこのようにシリンダー内にペーストと共に収納された空気を除去することができるシリンジ型容器として、円筒状のシリンダーと該シリンダーに押入するプランジャーからなり、ペーストをシリンダーに導入しかつシリンダー内のペーストをプランジャーにより吐出する容器であって、該シリンダーは一端に先細りの吐出部とその他端にプランジャーを導入する開口部を有し、該プランジャーは該シリンダーの先細り部に略適合する形状のプランジャーヘッドと該プランジャーヘッドをシリンダー内に押入するプランジャーロッドからなり、該シリンダーの内面に線状の突条および／または溝を設けるとともに、該プランジャーヘッドのシリンダー内面と摺動する部位に弾性のあるシールを設け、該シールが該シリンダー内面に設けた突条または溝上を微小な間隙を有しつつ移動するよう構成するか、もしくは上記の該容器の該プランジャーヘッド自身が弾性を有し、且つ該シリンダーの内壁に対して該プランジャーヘッドが摺動するようにして該プランジャーヘッドが該シリンダーの内面に設けた突条または溝上を微小な間隙を有しつつ移動するよう構成することにより、気泡の混入を防止し且つ内容物の漏洩を防止するシリンジ型容器（特許文献１参照。）がある。
【０００７】
しかしながらこのようなシリンジ型容器は、小さな直径のシリンダーの内面に線状の突条および／または溝を設けなければならないため、その加工が困難であり、その結果シリンジ型容器が高価になるという欠点があった。
【０００８】
【特許文献１】特開２０００−３４４２８２号公報
【発明の開示】
【発明が解決しようとする課題】
【０００９】
本発明は、前記従来技術の欠点を解消し、粘稠性のペーストを収納する際にシリンダー内に混入した空気を容易に除去して使用時にペーストに空気が混入して吐出することが少なく、且つ安価に製造できるシリンジ型容器を提供することを課題とする。
【課題を解決するための手段】
【００１０】
本発明者等は前記課題を解決すべく鋭意研究を重ねた結果、前記従来技術の如く小さな直径のシリンダーの内面に線状の突条および／または溝を設けるのではなく、プランジャーのＯリング装着溝にヘッド部側からロッド部側に空気は通すがペーストは通さない流路をＯリングとの間に形成する溝又は凸条部を設ければよく、この溝又は凸条部はプランジャーの外面のＯリング装着溝に予め設けるものであるから、プランジャー射出成形用の割型から成る金型のＯリング装着溝成形部に僅かに突設した凸条部を設けてプランジャーのＯリング装着溝に浅く穿設した形状の溝を形成させるか、プランジャー射出成形用の割型から成る金型のＯリング装着溝成形部に僅かに凹設した凹条部を設けてプランジャーのＯリング装着溝に僅かに突設した凸条部を形成させるか、又は射出成形後のプランジャーのＯリング装着溝に機械加工や放電加工等によって浅く穿設した形状の溝を形成させればよいので、容易且つ安価に目的とするシリンジ型容器を製造できることを究明して本発明を完成した。
【００１１】
即ち本発明は、一端に先細りの吐出部がまた他端に外面に指掛け部が設けられた開口部を有し内部にペーストが収納される円筒状のシリンダーと、該シリンダーの吐出部に略適合する形状のヘッド部と該ヘッド部に続いてＯリング装着溝とロッド部と押圧部とが順次設けられており該シリンダー内のペーストを吐出部側に押し出すためのプランジャーと、該プランジャーのＯリング装着溝に装着されたＯリングとから成るシリンジ型容器であって、該プランジャーのＯリング装着溝にヘッド部側からロッド部側に空気は通すがペーストは通さない流路をＯリングとの間に形成する溝又は凸条部が設けられていることを特徴とするシリンジ型容器である。
そしてこの本発明に係るシリンジ型容器においては、溝がプランジャーのＯリング装着溝をヘッド部側からロッド部側に浅く穿設して形成されている態様や、凸条部がプランジャーのＯリング装着溝にヘッド部側からロッド部側に僅かに突設して１本形成されている態様や、凸条部がプランジャーのＯリング装着溝にヘッド部側からロッド部側に隣接して僅かに突設して形成されている２本の凸条部である態様があり、このような溝又は凸条部はプランジャーの軸方向と平行に複数本設けられていることが好ましいのである。
【発明の効果】
【００１２】
本発明に係るシリンジ型容器は、従来から使用されているシリンジ型容器のプランジャーの外面のＯリング装着溝にヘッド部側からロッド部側に空気は通すがペーストは通さない流路をＯリングとの間に形成する溝又は凸条部を設けるだけで容易且つ安価に製造でき、ペーストを収納する際にシリンダー内に混入した空気を容易に除去して使用時にペーストに空気が混入して吐出することが少ないシリンジ型容器である。
【発明を実施するための最良の形態】
【００１３】
以下に、本発明に係るシリンジ型容器の実施例について詳細に説明する。
図１は本発明に係るシリンジ型容器の１実施例のシリンダーのみを断面で示した平面図、図２はＯリングを装着する前のプランジャーの溝が設けられたＯリング装着溝の１実施例をその部分のみを摸式的に示した拡大斜視図、図３はＯリングを装着する前のプランジャーの１本の凸条部が設けられたＯリング装着溝の他の実施例をその部分のみを摸式的に示した拡大斜視図、図４はＯリングを装着する前のプランジャーの２本の凸条部が設けられたＯリング装着溝の他の実施例をその部分のみを摸式的に示した拡大斜視図、図５は図２の溝が設けられた部位における図１のＡ−Ａ線拡大断面図、図６は図３の凸条部が設けられた部位における図１のＡ−Ａ線拡大断面図、図７は図４の２本の凸条部が設けられた部位における図１のＡ−Ａ線拡大断面図である。
【００１４】
図面中、１は一端に先細りの吐出部1aがまた他端に外面に指掛け部1cが設けられた開口部1bを有し内部にペーストが収納される円筒状のシリンダーである。
２はシリンダー１の吐出部1aに略適合する形状のヘッド部2aとこのヘッド部2aに続いてＯリング装着溝2bとロッド部2cと押圧部2dとが順次設けられておりシリンダー１内のペーストを吐出部1a側に押し出すためのプランジャーであり、このプランジャー２のＯリング装着溝2bにヘッド部2a側からロッド部2c側に至る溝又は凸条部2eが設けられている．この溝又は凸条部2eとしては、図２及び図５に示す如くプランジャー２のＯリング装着溝2bを浅く穿設した形成されている溝である態様や、図３及び図６に示す如くプランジャー２のＯリング装着溝2bに僅かに突設して形成されている１本の凸条部である態様や、図４及び図７に示す如くプランジャー２のＯリング装着溝2bに僅かに突設して形成されている２本の凸条部である態様とがある。また図示しないが、溝の方向がランダムな「シボ」状態でもよい。
３はプランジャー２のＯリング装着溝2bに装着されたＯリングであり、このＯリング３がプランジャー２のＯリング装着溝2bに装着されると、プランジャー２のＯリング装着溝2bに溝又は凸条部2eによってヘッド部2a側からロッド部2c側に空気は通すがペーストは通さない流路がＯリング３との間に形成されるのである。
【００１５】
即ち、溝2eがプランジャー２のＯリング装着溝2bをヘッド部2a側からロッド部2c側に浅く穿設して形成されている図２の如き態様では、図５に示す如くＯリング装着溝2bに装着されたＯリング３がこの溝2e内に入り込まない部位でこの溝2eが空気は通すがペーストは通さない流路を形成するのであり、凸条部2eがプランジャー２のＯリング装着溝2bにヘッド部2a側からロッド部2c側に僅かに突設して形成されている図３の如き態様では、図６に示す如くＯリング装着溝2bに装着されたＯリング３がこの凸条部2eによって変形せしめられた部位の凸条部2eの両側に形成された間隙が空気は通すがペーストは通さない流路を形成するのであり、凸条部2eがプランジャー２のＯリング装着溝2bにヘッド部2a側からロッド部2c側に隣接して僅かに突設して形成されている２本の凸条部2eである図４の如き態様では、図７に示す如く２本の凸条部2e間のＯリング３が入り込まない間隙が空気は通すがペーストは通さない流路を形成するのである。
【００１６】
本発明に係るシリンジ型容器は、前記した円筒状のシリンダー１と、プランジャー２と、このプランジャー２のＯリング装着溝2bに装着されたＯリング３とより成る。
このシリンダー１とプランジャー２とＯリング３とより成る本発明に係るシリンジ型容器は、先ずＯリング装着溝2bにＯリング３が装着されたプランジャー２をそのヘッド部2a側からシリンダー１の開口部1bに挿入し、プランジャー２のヘッド部2aがシリンダー１の先細りの吐出部1aに適合するように位置させる。
【００１７】
この状態で、シリンダー１の吐出部1aが最上方に位置するように垂直に立てた状態で、シリンダー１の吐出部1aに注射器状の注入器の先端に取り付けた針状部を装入すると共に或る程度プランジャー２をそのヘッド部2aがシリンダー１の先細りの吐出部1aからシリンダー２の開口部側に移動せしめた後、この注入器に収納されている粘稠性のペーストをシリンダー１内にその針状部から押圧注入すると、押圧注入されるペーストの圧力でプランジャー２がシリンダー１の開口部1b側に徐々に移動してシリンダー１内にペーストが収納されるのである。
この際、ペーストはシリンダー１の吐出部1a側からシリンダー１内に予め存在していた空気をプランジャー２のヘッド部2aに続くＯリング装着溝2bのヘッド部2aとＯリング３とに押し付けるようにして押圧注入されるため、シリンダー１内のプランジャー２のヘッド部2aに続くＯリング装着溝2bのヘッド部2aとＯリング３とに空気が圧縮された状態となる。
【００１８】
このようにシリンダー１内に空気が残留した状態で、ペーストを所定量押圧注入し終って注射器状の注入器の先端に取り付けた針状部をシリンダー１の吐出部1aから抜き取ると、圧縮された空気圧によってペーストがシリンダー１の吐出部1aから溢れ出す現象が生じてシリンダー１内に所定量のペーストを収納させることができないという現象が発生すると共に、シリンダー１内のペーストを吐出部1aから押し出して使用する際に、残留していた空気がペースト中に空気が気泡となって混入するため、例えばペーストが歯科用のコンポジットレジンの場合は硬化したコンポジットレジンの強度が低下してしまい、ペーストが歯科用の接着剤の場合はその接着強度が著しく低い部分が発生してしまうという好ましくない現象が発生するのである。
【００１９】
そこで本発明においては、プランジャー２のＯリング装着溝2bにヘッド部2a側からロッド部2c側に至る溝又は凸条部2eが設けられているのである。このような溝又は凸条部2eがプランジャー２のＯリング装着溝2bに設けられていると、プランジャー２のヘッド部2aに続くＯリング装着溝2bのヘッド部2aとＯリング３とに押し付けられるようにして残留していた空気は、Ｏリング装着溝2bに設けられた溝又は凸条部2eによってＯリング３との間に形成されたヘッド部2a側からロッド部2c側に空気は通すがペーストは通さない流路を通ってロッド部2c側に放出されるため、ペーストを押圧注入した時点でシリンダー１内には空気が殆ど残留しない状態となるため、前記したような好ましくない現象の発生を大幅に減少させることができるのである。このようにプランジャー２のヘッド部2aに続くＯリング装着溝2bのヘッド部2a側に押し付けられるようにして残留していた空気をＯリング装着溝2bにＯリング３との間にヘッド部2a側からロッド部2c側に空気は通すがペーストは通さない流路を通ってロッド部2c側に効率良く放出させるためには、溝又は凸条部2eはプランジャー２の軸方向と平行に複数本設けられていることが好ましい。
【００２０】
なお、プランジャー２のＯリング装着溝2bにヘッド部2a側からロッド部2c側に至る溝又は凸条部2eの形状や幅や深さや高さは、シリンダー１内に収納されるペーストの種類、特に粘度によって決定されるが、空気は通すがペーストは通さないように適宜設定すればよい。
【００２１】
従って、このような本発明に係るシリンジ型容器を使用するには、シリンダー１内は殆ど全部がペーストで、空気は殆ど残留していない状態であるから、中指と人差指とをシリンダー１の指掛け部1cに掛け、プランジャー２の押圧部2dを親指でシリンダー１の先細りの吐出部1a側に押してシリンダー１内に収納されているペーストをシリンダー１内から所定量押し出して使用することができるのである。
【図面の簡単な説明】
【００２２】
【図１】本発明に係るシリンジ型容器の１実施例のシリンダーのみを断面で示した平面図である。
【図２】Ｏリングを装着する前のプランジャーの溝が設けられたＯリング装着溝の１実施例をその部分のみを摸式的に示した拡大斜視図である。
【図３】Ｏリングを装着する前のプランジャーの１本の凸条部が設けられたＯリング装着溝の他の実施例をその部分のみを摸式的に示した拡大斜視図である。
【図４】Ｏリングを装着する前のプランジャーの２本の凸条部が設けられたＯリング装着溝の他の実施例をその部分のみを摸式的に示した拡大斜視図である。
【図５】図２の溝が設けられた部位における図１のＡ−Ａ線拡大断面図である。
【図６】図３の凸条部が設けられた部位における図１のＡ−Ａ線拡大断面図である。
【図７】図４の２本の凸条部が設けられた部位における図１のＡ−Ａ線拡大断面図である。
【符号の説明】
【００２３】
１  シリンダー
1a  吐出部
1b  開口部
1c  指掛け部
２  プランジャー
2a  ヘッド部
2b  Ｏリング装着溝
2c  ロッド部
2d  押圧部
2e  溝又は凸条部
３  Ｏリング
【図１】
2010022422.tif 000003
【図２】
2010022422.tif 000004
【図３】
2010022422.tif 000005
【図４】
2010022422.tif 000006
【図５】
2010022422.tif 000007
【図６】
2010022422.tif 000008
【図７】
2010022422.tif 000009